(57)【要約】【課題】円筒形状のファン側シュラウドを分割することなく、冷却ファンに干渉せずに取り付け、取り外しが可能な熱交換器用ファンシュラウドを得る。【解決手段】  熱交換器用ファンシュラウドは、冷却ファンと、ファンシュラウド４を備えている。このファンシュラウドは、冷却ファンの周りを取り囲む円筒形状のファン側シュラウド６と、熱交換器に取り付けられて前記ファン側シュラウドを支持する熱交換器側シュラウド５を備え、この熱交換器側シュラウドは複数に分割されている。この熱交換器側シュラウドの一部を取り外すことで、ファン側シュラウドの外径よりも大きな開口が熱交換器側シュラウドに形成され、前記ファン側シュラウドの少なくとも一部を、前記開口を通して、前記冷却ファンとの間で干渉せずに熱交換器側シュラウド内に挿入し、その状態からファン側シュラウドを、冷却ファン周りに配置或いは取り出せる構成としている。【選択図】図２
2014137016.tif 000002
【特許請求の範囲】
【請求項１】
熱交換器に冷却風を導くための冷却ファンと、この冷却ファンの周りを取り囲むと共に前記熱交換器に前記冷却風を導くためのファンシュラウドとを備えた熱交換器用ファンシュラウドであって、
前記ファンシュラウドは、前記冷却ファンの周りを取り囲むように配置された円筒形状のファン側シュラウドと、前記熱交換器に取り付けられると共に前記ファン側シュラウドを支持する熱交換器側シュラウドを備え、
前記熱交換器側シュラウドは複数に分割され、この分割された熱交換器側シュラウドの一部を取り外すことで、前記ファン側シュラウドの外径よりも大きな開口が前記熱交換器側シュラウドに形成されるように構成し、
前記ファン側シュラウドの少なくとも一部を、前記開口を通して、前記冷却ファンとの間で干渉せずに前記熱交換器側シュラウド内に挿入し、その状態から前記ファン側シュラウドを、前記冷却ファンと干渉せずに該冷却ファン周りに配置或いは外部に取り出し可能に構成した
ことを特徴とする熱交換器用ファンシュラウド。
【請求項２】
請求項１に記載の熱交換器用ファンシュラウドであって、
前記熱交換器側シュラウドは、前記熱交換器に取り付けられる支持シュラウドと、この支持シュラウドに取り付けられると共に前記ファン側シュラウドを取り付ける取付シュラウドで構成され、
この取付シュラウドは複数に分割されて、該取付シュラウドの一部を前記支持シュラウドから取り外すことで、前記ファン側シュラウドを前記冷却ファンに干渉せずに脱着できるように構成している
ことを特徴とする熱交換器用ファンシュラウド。
【請求項３】
請求項２に記載の熱交換器用ファンシュラウドであって、
前記取付シュラウドは、上取付シュラウドと下取付シュラウドに２分割され、これら上下の取付シュラウドには前記円筒形状のファン側シュラウドの熱交換器側端部と結合される半円弧部が形成され、これらの半円弧部を介して前記ファン側シュラウドを挟み込むようにして、該ファン側シュラウドが前記取付シュラウドに対し、隙間がなく且つ直角を保った状態でファン軸方向にも固定されている
ことを特徴とする熱交換器用ファンシュラウド。
【請求項４】
請求項３に記載の熱交換器用ファンシュラウドであって、
前記下取付シュラウドには、前記円筒形状のファン側シュラウドの下部の熱交換器側端部と結合される半円弧部と、この半円弧部から取付シュラウドの上端まで、前記半円弧部により形成される切欠き部分の幅を更に拡大するように延びる直線部が形成され、
前記上取付シュラウドには、前記下取付シュラウドの前記半円弧部と対称となる半円弧部と、この半円弧部の下端部から上端まで延び且つ前記下取付シュラウドの前記直線部と平行な直線部が形成されている
ことを特徴とする熱交換器用ファンシュラウド。
【請求項５】
請求項１に記載の熱交換器用ファンシュラウドであって、
前記熱交換器側シュラウドはボックス形状の支持シュラウドを備え、この支持シュラウドは上支持シュラウドと下支持シュラウドに分割され、これら上下の支持シュラウドには、前記円筒形状のファン側シュラウドの外周に対応した形状の半円弧部が互いに対称となるように形成され、これらの半円弧部を介して前記ファン側シュラウドを挟み込むようにして、該ファン側シュラウドが前記支持シュラウドに対し、隙間がなく且つ直角を保った状態でファン軸方向にも固定されている
ことを特徴とする熱交換器用ファンシュラウド。
【発明の詳細な説明】
【技術分野】
【０００１】
本発明は、熱交換器と冷却ファンとの間に介装される熱交換器用ファンシュラウドに関し、特に、油圧ショベル、ホイールローダ、フォークリフトなどの作業機械に搭載されているラジエータ、オイルクーラ、インタークーラなどの熱交換器用のファンシュラウドに関する。
【背景技術】
【０００２】
熱交換器用ファンシュラウドとしては、例えば、特許第４２７８８１１号公報（特許文献１）に記載されている。この特許文献１のものでは、熱交換器に対面して設けられた冷却ファンの周りを取り囲む冷却ファンのシュラウドの構造において、シュラウドを、ボックス形状の熱交換器側シュラウドと円筒形状のファン側シュラウドとに分割して構成している。
【０００３】
また、前記ファン側シュラウドを円筒形状のシュラウドにする場合、冷却ファンと円筒形状のファン側シュラウドが干渉するため、前記ボックス形状の熱交換器側シュラウド（ボックスシュラウド）に前記円筒形状のファン側シュラウド（円筒シュラウド）を取り付ける方法が課題となる。
【０００４】
上記特許文献１のものでは、前記ファン側シュラウドを２分割して、分割された一方のファン側シュラウドを取り外したときに前記冷却ファンを上方に引き出し可能とし、また前記熱交換器側シュラウドに、分割された前記ファン側シュラウドがそれぞれボルトにより取り付けられるようにして、冷却ファンと前記ファン側シュラウドが干渉せずに取り付け可能としている。
【先行技術文献】
【特許文献】
【０００５】
【特許文献１】特許第４２７８８１１号公報
【発明の概要】
【発明が解決しようとする課題】
【０００６】
しかし、上記特許文献１のものでは、前記円筒形状のファン側シュラウドを分割して前記熱交換器側シュラウドに取り付けるため、振動により２分割された円筒同士が干渉してビビリ音等の異音の原因となり、騒音源になってしまう。このため、前記円筒形状のファン側シュラウドを分割せず、しかも前記冷却ファンとも干渉しないように取り付けなければならないという課題がある。
【０００７】
本発明の目的は、円筒形状のファン側シュラウドを分割することなく、冷却ファンに干渉せずに取り付け、取り外しが可能な熱交換器用ファンシュラウドを得ることにある。
【課題を解決するための手段】
【０００８】
上記目的を達成するため、本発明は、熱交換器に冷却風を導くための冷却ファンと、この冷却ファンの周りを取り囲むと共に前記熱交換器に前記冷却風を導くためのファンシュラウドとを備えた熱交換器用ファンシュラウドであって、前記ファンシュラウドは、前記冷却ファンの周りを取り囲むように配置された円筒形状のファン側シュラウドと、前記熱交換器に取り付けられると共に前記ファン側シュラウドを支持する熱交換器側シュラウドを備え、前記熱交換器側シュラウドは複数に分割され、この分割された熱交換器側シュラウドの一部を取り外すことで、前記ファン側シュラウドの外径よりも大きな開口が前記熱交換器側シュラウドに形成されるように構成し、前記ファン側シュラウドの少なくとも一部を、前記開口を通して、前記冷却ファンとの間で干渉せずに前記熱交換器側シュラウド内に挿入し、その状態から前記ファン側シュラウドを、前記冷却ファンと干渉せずに該冷却ファン周りに配置或いは外部に取り出し可能に構成したことを特徴とする。
【０００９】
ここで、前記熱交換器側シュラウドは、前記熱交換器に取り付けられる支持シュラウドと、この支持シュラウドに取り付けられると共に前記ファン側シュラウドを取り付ける取付シュラウドで構成され、この取付シュラウドは複数に分割されて、該取付シュラウドの一部を前記支持シュラウドから取り外すことで、前記ファン側シュラウドを前記冷却ファンに干渉せずに脱着できるように構成すると良い。
【００１０】
また、前記取付シュラウドは、上取付シュラウドと下取付シュラウドに２分割され、これら上下の取付シュラウドには前記円筒形状のファン側シュラウドの熱交換器側端部と結合される半円弧部が形成され、これらの半円弧部を介して前記ファン側シュラウドを挟み込むようにして、該ファン側シュラウドが前記取付シュラウドに対し、隙間がなく且つ直角を保った状態でファン軸方向にも固定されるように構成することが好ましい。
【００１１】
更に、前記下取付シュラウドには、前記円筒形状のファン側シュラウドの下部の熱交換器側端部と結合される半円弧部と、この半円弧部から取付シュラウドの上端まで、前記半円弧部により形成される切欠き部分の幅を更に拡大するように延びる直線部が形成され、前記上取付シュラウドには、前記下取付シュラウドの前記半円弧部と対称となる半円弧部と、この半円弧部の下端部から上端まで延び且つ前記下取付シュラウドの前記直線部と平行な直線部が形成される構成としても良い。
【００１２】
また、前記熱交換器側シュラウドはボックス形状の支持シュラウドを備え、この支持シュラウドは上支持シュラウドと下支持シュラウドに分割され、これら上下の支持シュラウドには、前記円筒形状のファン側シュラウドの外周に対応した形状の半円弧部が互いに対称となるように形成され、これらの半円弧部を介して前記ファン側シュラウドを挟み込むようにして、該ファン側シュラウドが前記支持シュラウドに対し、隙間がなく且つ直角を保った状態でファン軸方向にも固定されるようにすることもできる。
【発明の効果】
【００１３】
本発明によれば、円筒形状のファン側シュラウドを分割することなく、冷却ファンに干渉せずに取り付け、取り外しが可能な熱交換器用ファンシュラウドを得ることができる。この結果、円筒形状のファン側シュラウドを分割しないので、分割された円筒同士が干渉してビビリ音の原因となり、騒音源になってしまうのを防止できる。
【図面の簡単な説明】
【００１４】
【図１】本発明の実施例１の熱交換機用ファンシュラウドとその周辺構成を示す全体構成図である。
【図２】図１に示すファンシュラウドの構成を分解して示す分解斜視図である。
【図３】図２に示す熱交換器側シュラウドの詳細構成を説明する正面図である。
【図４】図２に示す取付シュラウドと円筒シュラウドの結合手順について説明する斜視図である。
【図５】取付シュラウドと円筒シュラウドとの結合形態の具体例としてのボルト締め方式を説明する要部断面図である。
【図６】図５の他の例としての円筒結合方式を説明する要部断面図である。
【図７】円筒シュラウドを支持シュラウドへ取り付ける際の取付手順を説明する図である。
【図８】円筒シュラウドを支持シュラウドから取り外す際の取付手順を説明する図である。
【図９】本発明の熱交換器用ファンシュラウドの実施例２を説明する図で、図２に示す取付シュラウドの別の例を示す正面図である。
【図１０】本発明の熱交換器用ファンシュラウドの実施例３を説明する分解斜視図である。
【図１１】図１０の別の例を説明する分解斜視図である。
【発明を実施するための形態】
【００１５】
以下、本発明の熱交換器用ファンシュラウドの具体的実施例を、図面を用いて説明する。なお、各図において、同一符号を付した部分は同一或いは相当する部分を示している。
【実施例１】
【００１６】
本発明の熱交換器用ファンシュラウドの実施例１を図１〜図８を用いて説明する。
図１は本実施例１における熱交換機用ファンシュラウドとその周辺構成を示す全体構成図、図２は図１に示すファンシュラウドの構成を分解して示す分解斜視図、図３は図２に示す熱交換器側シュラウドの詳細構成を説明する正面図、図４は図２に示す取付シュラウドと円筒シュラウドの結合手順について説明する斜視図である。
【００１７】
まず、これら図１〜図４を用いて、本実施例１の熱交換機用ファンシュラウドの構成を説明する。  
図１において、１は油圧ショベルなどの作業機械などに設置されているエンジン、２は前記作業機械などに搭載された熱交換器で、例えば、ラジエータ、オイルクーラ、インタークーラなどの熱交換器である。３は前記熱交換器２に冷却風を導くための冷却ファン（以下、単にファンともいう）で、この冷却ファン３は、本実施例では、前記エンジン１により駆動されるように構成されている。
【００１８】
４は前記冷却ファン３の周りを取り囲むと共に前記熱交換器に冷却風を効率良く導くためのファンシュラウドで、このファンシュラウド４は、前記熱交換器２に取り付けられたボックス形状の熱交換器側シュラウド５と、この熱交換器側シュラウド５に取り付けられ、前記冷却ファン３の周りを取り囲むように配置された円筒形状のファン側シュラウド６（以下、円筒シュラウドともいう）により構成されている。
【００１９】
前記熱交換器側シュラウド５は、本実施例では、前記熱交換器２にボルトなどで取り付けられた支持シュラウド７と、この支持シュラウド７にボルトやねじなどで取り付けられた取付シュラウド８により構成されており、この取付シュラウド８に前記円筒シュラウド６が結合されている。
【００２０】
ここで、この図１に示すように、前記円筒シュラウド６は前記冷却ファン３と径方向に干渉しているため、メンテナンスなどのために前記冷却ファン３を着脱する時には、ファンシュラウド４を取り付けている前記熱交換器２を前記エンジン１と反対側に移動させるか、或いは冷却ファン２が取り付けられている前記エンジン１を前記ファンシュラウド４と反対方向に移動させてから、前記冷却ファン３を外さなければならず、冷却ファン３の着脱が容易でない。
【００２１】
そこで、前述した特許文献１のものでは、前記円筒シュラウド６を上下に２分割し、この分割された一方のシュラウド（円筒）を取り外した状態として前記冷却ファン３を着脱するようにしている。しかし、前述したように、円筒シュラウド６を分割すると、２分割された円筒同士が干渉してビビリ音等の異音の原因となり、騒音源になってしまう。
【００２２】
これに対し、本実施例では、前記ファンシュラウド４を、その分解斜視図である図２に示すように構成している。この図２において、７はボックス形状に構成され、前記熱交換器２にボルトなどで取り付けられている支持シュラウド、８はこの支持シュラウド７にボルトなどで固定される平板状の取付シュラウドで、本実施例では、この取付シュラウド８を上下に２分割し、上取付シュラウド８ａと下取付シュラウド８ｂとしている。
【００２３】
これら上下の取付シュラウド８ａ，８ｂには、前記円筒シュラウド６の外周に対応した形状の半円弧部８ａａ，８ｂａが形成され、前記半円弧部８ａａと８ａｂとは対称形状の半円弧となっている。  
一方、円筒形状のファン側シュラウド（円筒シュラウド）６については、分割せず、円筒形状のままとしている。
【００２４】
図２に示す熱交換器側シュラウド５の構成を図３により説明する。図３において、（ａ）図は前記熱交換器側シュラウド５を構成するボックス形状の支持シュラウドを示す正面図、（ｂ）図は前記熱交換器側シュラウド５を構成する平板状の取付シュラウドである。
【００２５】
前記支持シュラウド７はその周囲に複数（この例では１０個）のボルト穴７１が形成されている。前記取付シュラウド８の上下の取付シュラウド８ａ，８ｂにも、支持シュラウド７側のボルト穴７１に対応する位置にボルト穴８１が複数設けられている。また、本実施例では、前記取付シュラウド８側のボルト穴８１の径を支持シュラウド７側のボルト穴７１の径よりも大きく構成している。なお、本実施例において、前記ボルト穴とはねじ穴も含む意味で使用している。
【００２６】
更に、前記上下の取付シュラウド８ａ，８ｂには、前記円筒形状のファン側シュラウド６の熱交換器側端部と結合される半円弧部８ａａ，８ｂａが形成されており、これらの半円弧部を介して前記ファン側シュラウド６を挟み込むようにして、前記ファン側シュラウド６が前記取付シュラウド８に対し、隙間がなく且つ直角を保った状態でファン軸方向にも固定されるように構成している。
【００２７】
このように構成することにより、前記支持シュラウド８に対して、前記取付シュラウド８の上下の取付シュラウド８ａ，８ｂを、ボルト（ねじも含む）により別々に取り付けることができる。この上下に２分割された取付シュラウド８（熱交換器側シュラウド）の一部、即ち上取付シュラウド８ａを取り外すことで、前記円筒シュラウド（ファン側シュラウド）６の外径よりも大きな開口が、前記熱交換器側シュラウドに形成されるように構成している。
【００２８】
これにより、前記円筒シュラウドの少なくとも一部を、前記開口を通して、前記冷却ファン３（図１参照）との間で干渉せずに、前記熱交換器側シュラウド５（図２参照）内に挿入することができるようになっている。そして、この状態から、前記円筒シュラウド６を、前記冷却ファン３に干渉せずに、該冷却ファン３周りに配置したり、或いは外部に取り出すことができるように構成されている。
【００２９】
また、前記上下の取付シュラウド８ａ，８ｂのそれぞれの取付位置を、穴径の大きな前記ボルト穴８１により、微調整することも可能となる。なお、本実施例では、前記ボルト穴７１と８１を異なる穴径に構成した例について述べているが、前記ボルト穴７１と８１を同じ径にしても良い。
【００３０】
次に、図２に示す熱交換器側シュラウド５に対する円筒シュラウド６の結合手順を図４に示すより説明する。この図４においては、取付シュラウド８（８ａ，８ｂ）と円筒シュラウド６のみ表示している。
【００３１】
まず、取付シュラウド８の下取付シュラウド８ｂを図１〜図３に示す支持シュラウド７の所定位置にボルトなどにより固定する。支持シュラウド７に固定された前記下取付シュラウド８ｂに対し、図４（ａ）に示すように、円筒シュラウド６を上方から矢印で示すように設置し、円筒シュラウド６の熱交換器側端部を前記下取付シュラウド８ｂに仮固定する。
【００３２】
次に、図４（ｂ）に示すように、取付シュラウド８の上取付シュラウド８ａを、前記下取付シュラウド８ｂに仮固定されている前記円筒シュラウド６の上部の熱交換器側端部に結合して図４（ｃ）に示す状態とする。この状態から、前記上取付シュラウド８ａを前記支持シュラウド７の所定箇所にボルトなどでより固定することにより、図１に示すように、円筒シュラウド６を熱交換器側シュラウド５に、隙間を生じることなく、且つ直角を保ち、軸方向にも前後しないように固定することができる。
【００３３】
次に、図５及び図６により、取付シュラウドと円筒シュラウドとの結合形態の具体例について説明する。  
取付シュラウド８と円筒シュラウド６を結合する際、前記円筒シュラウド６と取付シュラウド８との間に隙間が生じるのを防ぎ、且つ前記円筒シュラウド６が取付シュラウド８に対し直角を保ち、ファン方向（軸方向）に前後しないように、この円筒シュラウド６を取り付ける必要がある。
【００３４】
取付シュラウド８と円筒シュラウド６を結合する結合方式の具体例を以下説明する。  
図５はボルト締結方式で、円筒シュラウド６の取付シュラウド８側端部にフランジ部６ａを設けて、このフランジ部６ａを前記取付シュラウド８に締結ボルト９により結合するようにしたものである。このボルト締結方式によれば、締結ボルト９により前記円筒シュラウド６を前記取付シュラウド８に強固に固定できるので、円筒シュラウド６の取付剛性を向上して振動の発生を抑制できる効果がある。
【００３５】
図６は円筒結合方式で、この結合方式においても、前記円筒シュラウドの取付シュラウド側端部にフランジ部６ｂを設ける。一方、前記取付シュラウド８にはその内周端にファン方向に延びる円筒部８ｃを形成する。この取付シュラウド８のうちの下取付シュラウド８ｂの前記円筒部８ｃに、前記円筒シュラウド６を設置し、前記フランジ部６ｂで軸方向に係止する。
【００３６】
次に、前記取付シュラウド８の上取付シュラウド８ａを前記円筒シュラウド６の上方から被せるようにして、前記上下の取付シュラウド８ａ，８ｂにより前記円筒シュラウド６を固定するように押える。この状態で前記上取付シュラウド８ａを支持シュラウド７にボルト締結する。
【００３７】
この円筒結合方式によれば、下取付シュラウド８ｂに円筒シュラウド６を載置してから上取付シュラウド８ａで前記円筒シュラウド６を挟み込むように保持するので、組立てを容易に行うことができると共に、広い円筒部８ｃで円筒シュラウド６を保持できるから、該円筒シュラウド６を安定した状態で保持することができ、振動の発生も抑制できる。
【００３８】
なお、この円筒結合方式においても、上記ボルト締結方式と同様に、締結ボルト９により、円筒シュラウド６のフランジ部６ｂを取付シュラウド８に固定すれば、より安定した状態に強固に固定することができる。
【００３９】
次に、本実施例の熱交換器用ファンシュラウドにおける前記円筒シュラウドを前記支持シュラウドへ取り付ける際の取付け手順を、図７を用いて説明する。  
図７は、熱交換器（図１参照）に支持シュラウド７が取り付けられ、この支持シュラウド７に、２分割された取付シュラウド８の下取付シュラウド８ｂがボルトなどで固定されている状態を示している。また、冷却ファン３もエンジン（図１参照）の所定箇所に固定されている状態を示している。この状態からの円筒シュラウド６の取り付け手順を説明する。
【００４０】
まず、（ａ）に示すように、円筒シュラウド６を、冷却ファン３と支持シュラウド７の上部との間に形成されている空間から支持シュラウド７内に斜めにして挿入する。この時、従来のように、取付シュラウド８が分割されていないものでは、円筒シュラウド６がファン３と干渉して、前記円筒シュラウド６の挿入ができない。しかし、本実施例では、前記取付シュラウド８の上半分を支持シュラウド７に取り付けていない状態で、前記円筒シュラウド６を挿入するので、冷却ファン３をよけながら挿入することが可能となる。
【００４１】
次に、（ｂ）に示すように、冷却ファン３にぶつからないように、円筒シュラウド６を左回転させながら冷却ファン３の周りを取り囲むように位置させ、（ｃ）に示すように前記円筒シュラウド６を垂直な姿勢にする。この状態から（ｄ）に示すように、円筒シュラウド６の下部の熱交換器側端部を前記下取付シュラウド８ｂに結合する。この結合は、例えば前述した図５または図６の何れかの結合手段で行えば良い。
【００４２】
そして、（ｄ）の状態で、前記取付シュラウド８の上取付シュラウド８ａ（図２〜図４参照）と前記円筒シュラウド６の上部の熱交換器側端部とを結合し、その後、前記上取付シュラウド８ａを支持シュラウド７にボルトなどで固定する。これにより、図１に示す状態にファンシュラウド４を取り付けることができる。
【００４３】
次に、本実施例の熱交換器用ファンシュラウドにおける前記円筒シュラウド６を前記支持シュラウド７から取り外す際の取り外し手順を、図８を用いて説明する。この取り外し手順は図７に示す取り付け手順とは逆になる。
【００４４】
まず、取付シュラウド８を構成する上取付シュラウド８ａを支持シュラウド７から取り外した後、この上取付シュラウド８ａを円筒シュラウド６からも取り外す。その後、（ａ）に示すように、前記円筒シュラウド６を下取付シュラウド８ｂからも取り外し、上方に少し上げてから、（ｂ）に示すように、円筒シュラウド６を右回転させて、円筒シュラウド６の一部を支持シュラウド７内に挿入する。次に、（ｃ）に示すように、冷却ファン３にぶつからないように少し上昇させ、その後（ｄ）に示すように、円筒シュラウド６を斜め上方に引き上げる。これにより、前記円筒シュラウド６を冷却ファン３に干渉することなく取り出すことができる。
【００４５】
円筒シュラウド６を取り外した後、冷却ファン３を取り外すことができるから、そのメンテナンスなどを容易に行うことができる。冷却ファン３の近くに設置された周辺機器がある場合には、その周辺機器についても同様に着脱可能となるから、それらのメンテナンスも容易に可能となる。
【実施例２】
【００４６】
本発明の熱交換器用ファンシュラウドの実施例２を図９により説明する。この図９において、上記図１〜図８と同一符号を付した部分は同一或いは相当する部分であり、また図９は取付シュラウド８のみを示しているが、他の部分の構成は上記実施例１と同様であるので、それらの説明については省略する。
【００４７】
この実施例２は、上記図３（ｂ）に示した取付シュラウド８の別の例を示すものである。上記実施例１では、図３（ｂ）に示すように、取付シュラウド８を上取付シュラウド８ａと下取付シュラウド８ｂに２分割し、これら上下の取付シュラウド８ａ，８ｂは互いに対称形状となるように分割しているが、この実施例２では、図９（ａ）に示すように分割している。
【００４８】
即ち、前記下取付シュラウド８ｂには、円筒シュラウド６（図２、図４など参照）の下部の熱交換器側端部と結合される半円弧部８ｂａと、この半円弧部８ｂａから取付シュラウド８の上端まで、前記半円弧部８ｂａにより形成される切欠き部分の幅を更に拡大するように延びる直線部８ｂｂが形成されている。
【００４９】
一方、前記上取付シュラウド８ａには、前記下取付シュラウド８ｂの前記半円弧部８ｂａと対称となる半円弧部８ａａと、この半円弧部８ａａの下端部から上端まで延び且つ前記下取付シュラウド８ｂの前記直線部８ｂｂと平行な直線部８ａｂが形成されている。  
なお、前記上下取付シュラウド８ａ，８ｂには、それぞれ、図９に示すように、熱交換器に取り付けられる支持シュラウド７に形成されたボルト穴に対応する位置に、複数のボルト穴８１が形成されている。
【００５０】
そして、実施例１と同様に、前記下取付シュラウド８ｂを、前記支持シュラウド７にボルトなどで取り付けた後、図９には示していないが、前記円筒シュラウド６の下部の熱交換器側端部を、この下取付シュラウド８ｂに結合する。次に、この円筒シュラウド６の上部の熱交換器側端部と前記上取付シュラウド８ａを結合した後、この上取付シュラウド８ａを前記支持シュラウド７にボルトなどで結合して、図９（ｂ）に示す状態となるように組み立てる。
【００５１】
なお、前記上下の取付シュラウド８ａ，８ｂと前記円筒シュラウド６との結合は、実施例１で説明した上記図５や図６と同様に行うことができる。また、円筒シュラウド６の取り付け、取り外しも、実施例１で説明した上記図７、図８と同様に行うことができる。
【００５２】
このように構成すれば、上記実施例１と同様の効果が得られる。また、本実施例２によれば、最初に取り付ける下取付シュラウド８ｂを大きく構成し、この下取付シュラウド８ｂに円筒シュラウド６を設置した後に取り付ける上取付シュラウド８ａを小さく構成しているので、上取付シュラウド８ａの取り付け作業が容易となる。また、円筒シュラウド６の取り付け、取り外し時に、前記下取付シュラウド８ｂの前記直線部８ｂｂがガイドとなるから、円筒シュラウド６の脱着作業も容易になり、全体として作業効率を向上できる。
他の構成は実施例１と同様であり、他の構成については説明を省略する。
【実施例３】
【００５３】
本発明の熱交換器用ファンシュラウドの実施例３を図１０により説明する。この図１０において、上記図１〜図８と同一符号を付した部分は同一或いは相当する部分であり、また図１０は支持シュラウド７と円筒シュラウド６のみを示しているが、他の部分の構成は上記実施例１と同様であるので、説明を省略する。
【００５４】
この実施例３は、実施例１において、熱交換器側シュラウド５（図２参照）を構成する支持シュラウド７と取付シュラウド８を一体化し、前記支持シュラウド７に前記取付シュラウド８としての機能も持たせたものである。
【００５５】
即ち、図１０に示すように、本実施例２では、ボックス形状の支持シュラウド７を上下に２分割して、上支持シュラウド７ａと下支持シュラウド７ｂとしている。  
これら上下の支持シュラウド７ａ，７ｂには、前記円筒シュラウド６の外周に対応した形状の半円弧部７ａａ，７ｂａが形成され、前記半円弧部７ａａと７ｂａとは対称形状の半円弧となっている。
【００５６】
次に、熱交換器側シュラウド５である図１０に示す支持シュラウド７に対する円筒シュラウド６の結合手順を説明する。  
まず、支持シュラウド７の下支持シュラウド７ｂを熱交換器２（図１参照）の所定位置にボルトなどにより固定する。この下支持シュラウド７ｂに対し、円筒シュラウド６を上方から設置し、前記円筒シュラウド６の下部の熱交換器側端部を前記下支持シュラウド７ｂの前記半円弧部７ｂａに仮固定する。
【００５７】
次に、前記支持シュラウド７の上支持シュラウド７ａの半円弧部７ａａと、前記下支持シュラウド７ｂに仮固定されている前記円筒シュラウド６の上部の熱交換器側端部を結合する。この状態から、前記上支持シュラウド７ａを前記熱交換器２の所定箇所にボルトなどにより固定する。これにより、図１に示したものと同様に、円筒シュラウド６を熱交換器側シュラウド５、即ち前記支持シュラウド７に固定することができる。
【００５８】
このように本実施例３では、ボックス形状の支持シュラウド７を分割するようにしているので、上記実施例１や２で説明した取付シュラウド８を用いることなく、前記円筒シュラウド６を冷却ファン３に干渉することなく取り出すことができる。この結果、前記冷却ファン３を容易に着脱することも可能となり、そのメンテナンスなどを容易に行なうことができる。
【００５９】
即ち、本実施例３のように構成しても、上記実施例１と同様の効果を得ることができ、また本実施例によれば、円筒シュラウド６を支持シュラウド７に直接取り付けることができるので、構造が簡単になり、安価に製作できる。更に、本実施例によれば、前記上支持シュラウド７ａを取り外すことで、前記円筒シュラウド６を支持シュラウド７に対し、垂直方向に挿入、取り出しが可能となるから、前記円筒シュラウド６の脱着スペースが小さく、傾斜させて挿入、取り出しができない場合にも、前記円筒シュラウド６の脱着が可能となる効果も得られる。
【００６０】
図１１は、上記図１０に示した支持シュラウド７の別の例を示す分解斜視図である。この図１１においても、上記図１〜図８と同一符号を付した部分は同一或いは相当する部分であり、また図１１も図１０と同様、支持シュラウド７と円筒シュラウド６のみを示しており、他の部分の構成は上記実施例１と同様である。
【００６１】
上記図１０では、前記支持シュラウド７を上下方向の略中間部分で、水平に分割して、上支持シュラウド７ａと下支持シュラウド７ｂに２分割した例を説明した。これに対し、この図１１に示す例は、前記支持シュラウド７を、上支持シュラウド７ａと下支持シュラウド７ｂに、上下に２分割する点では同じである。異なる点は、前記下支持シュラウド７ｂの側面板７ｂｂを上支持シュラウド７ａ側の上端位置に対応する部分まで延長し、前記上支持シュラウド７ａには側面板を設けないようにしたことである。他の構成は図１０の例と同様である。
【００６２】
前記支持シュラウド７をこの図１１に示すような構成にしても図１０の例と同様の効果を得ることができる。また、この図１１の例では、前記上支持シュラウド７ａに側面板がないので、この上支持シュラウド７ａは、平板を折り曲げただけで製作でき、しかも軽量になるから、組立作業もより容易に行うことができる。
【００６３】
以上述べたように、本発明の各実施例は、前記熱交換器側シュラウドを複数に分割し、この分割された熱交換器側シュラウドの一部を取り外すことで、前記ファン側シュラウドの外径よりも大きな開口が前記熱交換器側シュラウドに形成されるように構成し、円筒形状のファン側シュラウドの少なくとも一部を、前記開口を通して、前記冷却ファンとの間で干渉せずに前記熱交換器側シュラウド内に挿入し、その状態からこのファン側シュラウドを、前記冷却ファンに干渉せずに該冷却ファン周りに配置或いは外部に取り出し可能に構成している。
【００６４】
従って、本発明の各実施例によれば、ファン側シュラウドを分割することなく、冷却ファンに干渉せずに取り付け、取り外しが可能な熱交換器用ファンシュラウドを得ることができる。これにより、冷却ファン３やその周辺機器も容易に着脱可能となるから、それらのメンテナンスなどを容易に行なうこともできる。また、円筒形状のファン側シュラウドを分割しないので、分割された円筒同士が干渉してビビリ音等の異音の原因となり、騒音源になってしまうのも防止できる。
【００６５】
なお、本発明は上記した実施例に限定されるものではなく、様々な変形例が含まれる。例えば、前記取付シュラウド８或いは前記支持シュラウド７の分割数は２分割には限られず、３分割以上としても良い。また、これらを上下に２分割した例について説明したが、水平方向や斜め方向に分割するようにしても良い。更に、これらの分割形状についても、上述したものには限られず、組立性などを考慮して、適宜変更することができる。
【００６６】
また、前記円筒形状のファン側シュラウドには、幾何学的な円柱形状の他にベルマウス形状（軸方向に湾曲した内面をもつのもの）なども含まれる。  
更に、上記した実施例は本発明を分かり易く説明するために詳細に説明したものであり、必ずしも説明した全ての構成を備えるものに限定されるものではない。
【符号の説明】
【００６７】
１：エンジン、２：熱交換器、３：冷却ファン（ファン）、
４：ファンシュラウド、５：熱交換器側シュラウド、
６：ファン側シュラウド（円筒シュラウド）、６ａ，６ｂ：フランジ部、
７：支持シュラウド、７ａ：上支持シュラウド、７ｂ：下支持シュラウド、
８：取付シュラウド、８ａ：上取付シュラウド、８ｂ：下取付シュラウド、
８ｃ：円筒部、
８ａａ，８ｂａ：半円弧部、８ａｂ，８ｂｂ：直線部、
９：締結ボルト、１０：ラバー部材、
７１，８１：ボルト穴。
【図１】
2014137016.tif 000003
【図２】
2014137016.tif 000004
【図３】
2014137016.tif 000005
【図４】
2014137016.tif 000006
【図５】
2014137016.tif 000007
【図６】
2014137016.tif 000008
【図７】
2014137016.tif 000009
【図８】
2014137016.tif 000010
【図９】
2014137016.tif 000011
【図１０】
2014137016.tif 000012
【図１１】
2014137016.tif 000013